(57)【要約】【課題】外部からの衝撃により回路基板と他の回路基板の接続部材に外力が加わる場合等に電気的接続が良好に行われなくなった後、電気的接続が復帰した場合に、液晶駆動回路への電源の供給が途絶えることにより、液晶駆動回路内に意図しない表示データが存在し、液晶表示素子の表示に文字化け等の異常が生じる問題がある。【解決手段】液晶表示素子と、液晶表示素子を駆動する液晶駆動回路と、液晶表示素子に表示する表示データと、液晶駆動回路を初期化する初期化信号を、液晶駆動回路に出力する制御回路と、時刻を計時する計時回路と、を有する電子時計であって、制御回路は、液晶表示素子の表示内容を変えるために、液晶駆動回路に表示データを出力する際に、液晶駆動回路に初期化信号を出力することにより、液晶駆動回路を初期化する初期化動作を行う。【選択図】        図１
2009229357.tif 000002
【特許請求の範囲】
【請求項１】
液晶表示素子と、該液晶表示素子を駆動する液晶駆動回路と、前記液晶表示素子に表示する表示データと前記液晶駆動回路を初期化する初期化信号を前記液晶駆動回路に出力する制御回路と、時刻を計時する計時回路とを有する電子時計であって、
前記制御回路は、前記液晶表示素子の表示内容を変えるために、前記液晶駆動回路に前記表示データを出力する際に、前記初期化信号を出力して前記液晶駆動回路を初期化させ、その後に前記表示データを出力させることを特徴とする電子時計。
【請求項２】
前記制御回路は、前記液晶表示素子の表示部を全て消灯してから、前記液晶表示素子の表示部の少なくとも一部を点灯することにより、前記液晶表示素子の表示内容を変えるときに、前記初期化動作を行うことを特徴とする請求項１に記載の電子時計。
【請求項３】
前記初期化動作では、前記制御回路は、前記液晶表示素子の表示部が全て消灯されているときに前記初期化信号を出力することを特徴とする請求項２に記載の電子時計。
【請求項４】
前記電子時計は、さらに、時刻情報を含む標準電波を受信する受信手段を有し、前記制御回路は、所定の受信動作を行うように前記受信手段の動作を制御するとともに、前記制御回路は、前記所定の受信動作において前記初期化動作を行うことを特徴とする請求項１〜３のいずれか１項に記載の電子時計。
【請求項５】
前記制御回路は、前記計時回路が計時する時刻が所定時刻に達したときに、前記所定の受信動作を行うように前記受信手段の動作を制御することを特徴とする請求項４に記載の電子時計。
【請求項６】
前記電子時計は、さらに外部操作手段を有し、前記制御回路は、前記外部操作手段の所定の操作に基づいて、前記所定の受信動作を行うように前記受信手段の動作を制御することを特徴とする請求項４に記載の電子時計。
【請求項７】
前記電子時計は、前記液晶表示素子に第１の種類の情報を表示するために、前記制御回路が前記液晶駆動回路に前記第１の種類の情報に対応する第１表示データを出力する第１のモードと、前記液晶表示素子に前記第１の種類の情報とは異なる第２の種類の情報を表示するために、前記制御回路が前記液晶駆動回路に前記第２の種類の情報に対応する第２表示データを出力する第２のモードとを有し、
前記制御回路は、前記液晶駆動回路に出力する表示データを、前記第１表示データから前記第２表示データに切り替えて出力することにより、前記液晶表示素子の表示内容を変えるとともに、前記液晶駆動回路に出力する表示データを、前記第１表示データから前記第２表示データに切り替える間に、前記初期化信号を出力して、前記初期化動作を行うことを特徴とする請求項１に記載の電子時計。
【発明の詳細な説明】
【技術分野】
【０００１】
本発明は、液晶表示素子と液晶表示素子を駆動する液晶駆動回路を有する電子時計に関するものである。
【背景技術】
【０００２】
従来、電源や情報処理回路（制御回路）等が実装された回路基板と、液晶表示素子を駆動する液晶駆動回路等が実装された他の回路基板との間の、電源や電気信号の供給のための電気的な接続に際して、両基板に形成した端子間に異方性導電ゴム等の接続部材を配置して、両基板の端子との接触圧を確保して接触の信頼性の向上を図ることが特許文献１にて開示されている。
【特許文献１】特開２０００−１３３９０４号公報（段落００３３〜００３７、図１）
【発明の開示】
【発明が解決しようとする課題】
【０００３】
しかしながら、特許文献１の構成では外部からの衝撃により回路基板と他の回路基板の接続部材に外力が加わる場合等に電気的接続が良好に行われなくなった後、電気的接続が復帰した場合に、液晶駆動回路への電源の供給が途絶えることにより、液晶駆動回路内に意図しない表示データが存在し、液晶表示素子の表示に文字化け等の異常が生じる問題がある。
本発明は以上のような課題を解決しようとするもので、制御回路と液晶駆動回路の導通不良により、液晶表示素子の表示に異常が発生しても、制御回路と液晶駆動回路の導通が良好となれば、液晶表示素子の表示が正常な表示に戻る電子時計を提供する事を目的とする。
【課題を解決するための手段】
【０００４】
上記課題を解決するため、本発明は、液晶表示素子と、該液晶表示素子を駆動する液晶駆動回路と、前記液晶表示素子に表示する表示データと前記液晶駆動回路を初期化する初期化信号を前記液晶駆動回路に出力する制御回路と、時刻を計時する計時回路と、を有する電子時計であって、前記制御回路は、前記液晶表示素子の表示内容を変えるために、前記液晶駆動回路に前記表示データを出力する際に、前記初期化信号を出力して、前記液晶駆動回路を初期化させ、その後に前記表示データを出力することを特徴としている。
【０００５】
また、前記制御回路は、前記液晶表示素子の表示部を全て消灯してから、前記液晶表示素子の表示部を少なくとも一部を表示することにより、前記液晶表示素子の表示内容を変えるときに、前記初期化動作を行うことを特徴としている。
【０００６】
また、前記初期化動作で、前記制御回路は、前記液晶表示素子の表示部が全て消灯されているときに前記初期化信号を出力することを特徴としている。
【０００７】
また、前記電子時計は、さらに、時刻情報を含む標準電波を受信する受信手段を有し、前記制御回路は、所定の受信動作を行うように前記受信手段の動作を制御するとともに、前記制御回路は、前記所定の受信動作において前記初期化動作を行うことを特徴とする。
【０００８】
また、前記制御回路は、前記計時回路が計時する時刻が所定時間に達したときに、所定の受信動作を行うように前記受信手段の動作を制御することを特徴とする。
【０００９】
また、前記電子時計は、さらに、外部操作手段を有し、前記制御回路は、前記外部操作手段の所定の操作に基づいて、前記所定の受信動作を行うように前記受信手段の動作を制御することを特徴とする。
【００１０】
また、前記電子時計は、前記液晶表示素子に第１の種類の情報を表示するために、前記制御回路が前記液晶駆動回路に前記第１の種類の情報に対応する第１表示データを出力する第１のモードと、前記液晶表示素子に前記第１の種類の情報とは異なる第２の種類の情報を表示するために、前記制御回路が前記液晶駆動回路に前記第２の種類の情報に対応する第２表示データを出力する第２のモードとを有し、前記制御回路は、前記液晶駆動回路に出力する表示データを、前記第１表示データから前記第２表示データに切り替えて出力することにより、前記液晶表示素子の表示内容を変えるとともに、前記液晶駆動回路に出力する表示データを、前記第１表示データから前記第２表示データに切り替える間に、前記初期化信号を出力して、前記初期化動作を行うことを特徴とする。
【発明の効果】
【００１１】
以上のように本発明によれば、制御回路と液晶駆動回路の瞬間的な導通不良等により、液晶駆動回路の表示データに異常が生じても、液晶駆動回路に初期化信号を出力する構成により、液晶表示素子の表示を正常な表示に戻すことができる。そして、この初期化信号を、液晶表示素子の表示内容を変えるときに出力する構成により、表示を正常に戻す動作が行われても、使用者に違和感を与えない電子時計を提供することができるという効果が得られる。
【発明を実施するための最良の形態】
【００１２】
以下図面を用いて本発明の一実施の形態における電子時計について説明する。
図１，２を用いて本発明の第１の実施の形態を説明する。図１は本発明の第１の実施の形態における電子時計のシステム構成図、図２は本発明の第１の実施の形態における電子時計の受信動作のフローチャートである。
【００１３】
１は外部から供給されるエネルギーにより発電する発電手段であり、例えば太陽電池によって構成される。２は制御回路５、計時回路３、受信回路９、液晶駆動回路６に電力を供給する蓄電手段であり、例えば二次電池によって構成される。３は時刻を計時する計時回路であり、例えば、発振回路，分周回路を含み、現在時刻を計時する。４は受信手段であり、受信回路９、アンテナ１０により構成され、標準時刻電波に含まれる時刻情報を取得する。５は制御回路であり、計時回路３、受信手段４、液晶駆動回路６の動作を制御する。６は液晶表示素子を駆動する液晶駆動回路、７は液晶表示素子であり、ドットマトリクス表示部や、所定桁数分の７セグメント表示パターンを有している。８は電子時計の外部に設けられたスイッチ手段である。
【００１４】
制御回路５は、例えば、図示しない回路基板に実装され、この回路基板に設けられた出力端子に接続されている。液晶駆動回路６は、図示しない他の回路基板に実装されている。他の回路基板には、制御回路５が実装された回路基板の出力端子から、後述する初期化信号や表示データ、及び駆動電力等が入力される入力端子が設けられ、液晶駆動回路６に接続されている。制御回路５側の回路基板の出力端子と、液晶駆動回路６側の回路基板の入力端子とは、例えば、導電性シリコーンゴム等の接続部材で接続されている。
【００１５】
制御回路５は、計時回路３から出力される時刻情報に基づいて、例えば、毎日定められた時刻に受信動作を行うように受信回路９を制御する。また、スイッチ手段８の操作に基づいて、同様に受信回路９を動作させる。また、制御回路５は、受信回路９が取得した時刻情報に基づいて、計時回路３の計時時刻を修正する。また、制御回路５は、液晶駆動回路６に時刻情報等の情報を出力する。また、後述するように、液晶表示素子７の表示内容
を変えるために、液晶駆動回路６に表示データを出力するタイミングで、液晶駆動回路６を初期化するための初期化信号を出力する。
【００１６】
液晶駆動回路６は、計時回路３から出力される時刻情報を表す信号に基づいて、液晶表示素子７を駆動し、時刻情報等の情報を表示する。
外部からの衝撃により、制御回路５が実装されている回路基板と、液晶駆動回路６が実装されている他の回路基板の接続部材に外力が加わる場合等に、これらの電気的接続が良好に行われず、導通不良が発生すると、液晶表示回路６の中の表示データが異常となり、液晶表示素子７の表示に文字化け等が発生する。特に、制御回路５側の回路基板から、液晶駆動回路６が実装されている他の回路基板に電力が供給されている場合、この電気的接続不良によって、液晶駆動回路６への電力の供給が断たれ、電気的な接続が復帰したとしても、液晶駆動回路６のデータが異常データとなり、制御回路５から液晶駆動回路６に表示データを出力しただけでは、液晶駆動回路６が正常に動作せず、液晶表示素子７が意図しない表示内容となることがある。
本実施の形態では、制御回路５から出力される初期化信号により液晶駆動回路６が初期化動作をすることにより液晶駆動回路６を正常な状態に戻す。その際、液晶表示素子７の表示内容が消去される瞬間があるが、その後、制御回路５から表示データが液晶駆動回路６に送信され、液晶表示素子７は、所望の表示内容へと回復する。
この液晶駆動回路６の初期化動作を頻繁に行うと、液晶表示素子７が頻繁にちらつき、特に、使用者が液晶表示素子７の表示内容を読み取ろうとしたときにちらつく頻度が多くなると、使用者に違和感を与えると共に、表示内容が読み取りにくくなる。そこで、本発明の第１の実施形態における電子時計では、次に説明するように、受信動作中に、液晶駆動回路６を初期化して、なるべく使用者に違和感を与えないようにしている。
【００１７】
次の図２を用いて、第１の実施の形態における電子時計の受信動作について説明する。
計時回路３から出力される時刻情報に基づいて、例えば、毎日定めた時刻に受信回路９による受信動作を開始する（ＳＴ１）。または、スイッチ手段８の操作に基づいて、同様に受信回路９を動作させる（ＳＴ１）。受信動作が開始されると、制御回路５は受信動作を行っていることを示す表示データを液晶駆動回路６に送信してそれを液晶表示素子７で表示する（ＳＴ２）、この受信動作を行っていることを示す表示データとは、例えば液晶表示素子７を全て消灯させるデータである。又は、受信中であることを文字等を用いて表したデータでもよい。そして、制御回路５が受信手段４を動作させ、受信手段４で受信した標準電波に含まれる時刻情報を取得する（ＳＴ３）。時刻情報が正確に取得されると（ＳＴ３の「Ｙ」の場合）、制御回路５は取得した時刻情報に基づいて、計時回路３の時刻を修正するとともに、制御回路５から液晶駆動回路６に初期化信号を出力し、液晶駆動回路６を初期化する（ＳＴ４）。この初期化信号によって、仮に、液晶表示素子７に、文字化け等の異常なデータが表示されていたとしても、初期化状態の正常な表示に復帰する。そして、送信されていた受信状態を示す表示データから、受信結果や取得した時刻情報等の表示データを表示するように液晶駆動回路６を制御する（ＳＴ５）。すると、液晶表示素子７は、全消灯状態から、時刻情報等を表示する状態に変化する。（ＳＴ６）このように、表示内容の変化に際し、制御回路５は液晶駆動回路６に初期化信号を出力し、液晶駆動回路６は初期化動作を行う。初期化動作の後、制御回路５より液晶駆動回路６に所望の表示データが送信され、通常状態に戻る（ＳＴ７）。
【００１８】
液晶駆動回路６の初期化動作では液晶駆動回路６内の表示データが消去され、液晶表示素子７に何も表示されていない瞬間があるが、図２のＳＴ４のように、液晶表示素子７が全て消灯されている状態のときに初期化動作を行えば、液晶表示素子７に目立ったちらつき等が生じないため、その後に液晶表示素子７の少なくとも一部を点灯して何らかの表示をしても使用者に違和感を与えることはない。また、初期化動作に際して、例えば初期化動作を行う直前の図２のＳＴ３で液晶表示素子７に表示されているデータが、受信中であ
ることを文字等で表示するデータであっても、ＳＴ３からＳＴ５に表示内容が変わる際、晶表示素子７の表示が一瞬消えるだけなので、使用者は、この瞬時の全消灯も含めて表示内容の切り替わりの際の一連の表示動作であると認識するため、使用者に対して違和感を与えない。また、計時回路３が計時する所定の時刻に液晶駆動回路６の初期化動作を行うことにより、この初期化動作を定期的に行うことができる。
【００１９】
次に、図３，４を用いて本発明の第２の実施の形態を説明する。図３は本発明の第２の実施の形態における電子時計のシステム構成図、図４は本発明の第２の実施の形態における電子時計の節電動作のフローチャートである。
本発明の第１の実施の形態と同じ構成要素には同じ符号を付してその説明を省略する。図３において１１は発電検出回路であり、例えば発電手段１の発生電圧により発電の有無を検出する。本発明の第２の実施の形態が第１の実施の形態と異なるのは、発電検出手段１１が追加され、制御回路５によって後述する節電動作が行われ、この節電動作の際にも、液晶表示回路６の初期化動作を行う点である。
【００２０】
時刻表示動作、及び受信動作は、本発明の第１の実施の形態と同じであるため、その説明を省略する。
【００２１】
次に図４のフローチャートを用いて本発明の第２の実施の形態における電子時計の節電動作について説明する。蓄電手段２による電圧が所定の電圧より低下するか、発電検出回路１１による発電検出が一定期間されなかったとき、制御回路５は電子時計を節電状態とする（ＳＴ１０１）。節電状態になると制御回路５は節電状態に対応した制御を液晶駆動回路６に対して行い（ＳＴ１０２）、例えば、液晶駆動素子７を全消灯するように液晶駆動回路６の制御を行い、液晶駆動回路６に電源を供給しないようにして、液晶駆動回路６の動作を停止しても良い。
【００２２】
節電状態となって、蓄電手段２の電圧が所定の電圧より高くなり、発電検出回路１１により発電検出が行われて復帰条件が満たされると（ＳＴ１０３の「Ｙ」の場合）、節電状態から通常状態への復帰動作に際し制御回路５は、液晶駆動回路６の初期化動作を行い（ＳＴ１０４）、さらに、制御回路５が液晶駆動回路６に通常状態の表示データである時刻データ等を出力し（ＳＴ１０５）、液晶表示素子７は通常状態の表示に復帰し（ＳＴ１０６）、節電状態が終了する（ＳＴ１０７）。このように、第２の実施の形態における電子時計の節電動作においても、液晶駆動回路７が節電状態に対応した表示状態から時刻情報等の通常状態の表示データを表示する表示状態へ変化する際に、液晶駆動回路６の初期化動作が行われる。
【００２３】
また、第１の実施の形態及び第２の実施の形態のような、標準電波の受信中や、節電状態からの復帰時に限らず、例えば、電子時計の外部にあるスイッチ手段８の操作によって、制御回路５が複数のモードから１つのモードを選択して、そのモードに対応した表示状態に切り替わるように構成し、モードの切り替わりの際（切り替わりの直前、切り替わる間、切り替わった直後）に初期化信号を出力するようにしても良い。
例えば、第１のモードである時刻表示モードで、制御回路５が第１の種類の情報である時刻情報に対応する表示データを液晶駆動回路６に出力し、液晶駆動素子７で時刻情報を表示する。そして、スイッチ手段８による所定のモード切り替え操作により、制御回路５が第２のモードである時刻修正モードに切り替えるために、第２の種類の情報である時刻修正情報に対応する表示データを液晶駆動回路６に出力し、液晶駆動素子７で第２の種類の情報として修正桁が点滅表示される時刻情報を表示する。制御回路５は、時刻表示モードから時刻修正モードに切り替える際、に初期化信号を出力する。
この場合も、表示内容の切り替わりに際して、一瞬、液晶表示素子７が初期化動作で消灯されるだけなので、使用者に対して違和感を与えない。
【図面の簡単な説明】
【００２４】
【図１】本発明の第１の実施の形態における電子時計のシステム構成図である。
【図２】本発明の第１の実施の形態における電子時計の受信動作のフローチャートである。
【図３】本発明の第２の実施の形態における電子時計のシステム構成図である。
【図４】本発明の第２の実施の形態における電子時計の節電動作のフローチャートである。
【符号の説明】
【００２５】
１  発電手段
２  蓄電手段
３  計時回路
４  受信手段
５  制御回路
６  液晶駆動回路
７  液晶表示素子
８  スイッチ手段
９  受信回路
１０  アンテナ
１１  発電検出回路
【図１】
2009229357.tif 000003
【図２】
2009229357.tif 000004
【図３】
2009229357.tif 000005
【図４】
2009229357.tif 000006